(57)【要約】【課題】電気メスの使用時に発生する煙及び臭気を効率よく除去し得る簡便かつ安価で、使い捨て可能な衛生的な排煙器具及びこれを備えた電気メス装置を提供することにある。【解決手段】電気メス本体（２）の頭部（２１）にこれをカバーするよう装着され、その先端部にメス先電極（２２）が貫通しメス先電極の周囲の外気を吸入する吸引口（１２）が形成された着脱自在なキャップ（１１）と、上記吸引口からキャップ内へ導入された外気を排気パイプ（３１）へ導くキャップ内空気排出手段（１４，２６）と、を備えたことを特徴とする。【選択図】　図３
2004089510.tif 000002
【特許請求の範囲】
【請求項１】
電気メス本体（２）の頭部（２１）にこれをカバーするよう装着され、その先端部にメス先電極（２２）が貫通しメス先電極の周囲の外気を吸入する吸引口（１２）が形成された着脱自在なキャップ（１１）と、上記吸引口からキャップ内へ導入された外気を排気パイプ（３１）へ導くキャップ内空気排出手段（１４，２６）と、を備えたことを特徴とする電気メス用排煙器具。
【請求項２】
上記吸引口（１２）が、メス先電極の付け根部から一定の長さの領域をカバーするようキャップの先端部から外側へ突出した吸引ノズル（１３）の先端に形成されたことを特徴とする請求項１に記載の電気メス用排煙器具。
【請求項３】
上記吸引ノズル（１３）を、メス先電極（２２）の長さに応じて適宜切断可能なように構成したことを特徴とする請求項２に記載の電気メス用排煙器具。
【請求項４】
上記キャップ内空気排出手段が、キャップの周壁の適宜の箇所に設けられた排気チューブ（１４）であり、当該排気チューブに上記排気パイプ（３１）を接続可能なように構成したことを特徴とする請求項１に記載の電気メス用排煙器具。
【請求項５】
上記排気チューブ（１４）が電気メス本体（２）に臨む外周側面に、排気チューブ（１４）を電気メス本体（２）の外周側面に固定するための両面粘着テープ（１４ａ　）を設けたことを特徴とする請求項１に記載の電気メス用排煙器具。
【請求項６】
上記キャップ内空気排出手段が、電気メス本体（２）の先端領域に開口するよう電気メス本体の外周壁に明けられた孔（２６）であり、当該孔の内部へ上記排気パイプ（３１）又はこれと接続されたチューブを挿通可能なように構成したことを特徴とする請求項１に記載の電気メス用排煙器具。
【請求項７】
上記キャップ（１１）を、その軸直角断面が略円形となるように形成し、かつ、その径が先端側へ向かうにつれて次第に小さくなるテーパ状に形成したことを特徴とする請求項１に記載の電気メス用排煙器具。
【請求項８】
上記キャップ（１１）が、電気メス本体（２）の頭部（２１）の形状に適合しうる僅かな弾力性及び柔軟性を有すると共に、上記排気パイプによる排気時に凹まない程度の保形性を有する合成樹脂材料により作製されたことを特徴とする請求項１に記載の電気メス用排煙器具。
【請求項９】
上記排気パイプ（３１）と排気ポンプ（３４）の間に、排出される煙の成分を吸着捕集する浄化器（３３）を設けたことを特徴とする請求項１に記載の電気メス用排煙器具。
【請求項１０】
電気メス本体（２）と、これに高周波電流を供給すると共に電気メス本体の作動を制御する電源及び制御装置（４）と、上記請求項１ないし９のいずれか一項に記載の電気メス用排煙器具と、を備えたことを特徴とする電気メス装置。
【発明の詳細な説明】
【０００１】
【発明の属する技術分野】
本発明は、電気メスによる手術中に発生する煙及び臭気を効果的に除去し得る排煙器具及びこれを備えた電気メス装置に関するものである。
【０００２】
【従来の技術】
電気メスは、そのメス先電極に高周波電流を通じ患部組織を焼灼することによって組織の切開、止血、凝固等を行うものであり、通常のメスに比べて出血が少なくてすむため、外科手術において今日広く使用されている。
然しながら、電気メスを用いると、組織の焼灼時に多量の煙と異臭を発生するという問題がある。
焼灼時には、水分等が瞬間的に気化し、その一種の爆発的な作用によって周囲の組織が微粒子となって飛び散るため、発生する煙の中には、単に組織の炭化物や水蒸気のみではなく、生きたウィルス（例えば肝炎ウィルスなど）やプリオン（狂牛病の病原体である異常蛋白）も含まれている可能性が高い。従って、執刀医その他手術室内の補助者がこの煙を吸い込むと、健康上有害であることが懸念される。
また、発生する煙によって手術野が見えにくくなり、手術の的確かつ迅速な遂行が妨げられるという問題もある。
【０００３】
従来、腹腔鏡を用いて非開腹状態で手術を行う医療分野においては、煙の逃げ場がなく腹腔内に溜まって重大な問題を引き起こすので、これを解決するための大掛かりな装置が下記の特許公報において提案されている。
【０００４】
【特許文献１】
特開平０５−３２９１６４号公報
【０００５】
然しながら、開放空間において行われる電気メスによる通常の外科手術において発生する煙や臭気を効率よく除去し得る手頃な装置は、これまで提供されていなかった。
【０００６】
【発明が解決しようとする課題】
本発明は、上記の問題点を解決するためになされたものであり、その目的とするところは、電気メスによる手術時に発生する煙及び臭気を効率よく除去し得る簡便かつ安価で、使い捨て可能な衛生的な排煙器具及びこれを備えた電気メス装置を提供することにある。
【０００７】
【課題を解決するための手段】
本発明の上記の目的は、
電気メス本体の頭部にこれをカバーするよう装着され、その先端部にメス先電極が貫通しメス先電極の周囲の外気を吸入する吸引口が形成された着脱自在なキャップと、上記吸引口からキャップ内へ導入された外気を排気パイプへ導くキャップ内空気排出手段と、を備えたことを特徴とする電気メス用排煙器具によって達成できる。
【０００８】
上記吸引口は、キャップの先端部から外側へ突出し、メス先電極の付け根部から一定の長さの領域をカバーする吸引ノズルの先端に形成されることが推奨される。
その場合、上記吸引ノズルを、メス先電極の長さに応じて適宜切断可能なように構成することが望ましい。
【０００９】
上記キャップ内空気排出手段の一形態としては、キャップの周壁の適宜の箇所に排気チューブを設け、当該排気チューブに上記排気パイプを接続可能なように構成したものが採用できる。
その場合、上記排気チューブが電気メス本体に臨む外周側面に、排気チューブを電気メス本体の外周側面に固定するための両面粘着テープを設けることが推奨される。
上記キャップ内空気排出手段のもう一つの形態としては、電気メス本体の先端領域に開口するよう電気メス本体の外周壁に孔を明け、当該孔の内部へ上記排気パイプ又はこれと接続されたチューブを挿通可能なように構成したものが採用できる。
【００１０】
上記キャップの一形態においては、その軸直角断面が略円形となるように形成し、かつ、その径が先端側へ向かうにつれて次第に小さくなるテーパ状に形成することが推奨される。
上記キャップの素材としては、電気メス本体の頭部の形状に適合しうる僅かな弾力性及び柔軟性を有すると共に、上記排気パイプによる排気時に凹まない程度の保形性を有する合成樹脂材料を用いることが推奨される。
【００１１】
上記排気パイプと排気ポンプの間には、排出される煙の成分を吸着捕集する浄化器を設けることが望ましい。
【００１２】
また更に、本発明の前記の目的は、
電気メス本体と、これに高周波電流を供給すると共に電気メス本体の作動を制御する電源及び制御装置と、上記の如き各種形態の電気メス用排煙器具と、を備えたことを特徴とする電気メス装置によっても達成できる。
【００１３】
【発明の実施の形態】
以下、図面を参照しつゝ本発明を具体的に説明する。
図１は、本発明に係る電気メス用排煙器具の一実施例を示す外観図、図２は、図１に示した排煙器具を電気メスの頭部に装着した状態を示す側面図、図３は、本発明に係る排煙器具の機能を説明するための拡大断面図、図４は、図１に示した排煙器具を備えると共に、排出される煙の浄化器を設けた電気メス装置の全体構成を示す説明図、図５は、本発明に係る電気メス用排煙器具のもう一つの実施例を示す要部断面図である。
【００１４】
図１〜図４中、１は本発明に係る電気メス用排煙器具、１１はそのキャップ、１２は吸引口、１３は吸引ノズル、１４は排気チューブ、１４ａ　は両面粘着テープ、２は電気メス本体、２１はその頭部、２２はメス先電極、２３ａ及び２３ｂはスイッチ、２４はコード、３１は排気パイプ、３２はコネクタ、３３は浄化器、３３ａは吸収液、３４は排気ポンプ、３５は流量調節バルブ、４は電源及び制御装置である。
【００１５】
図１に示す実施例に係る電気メス用排煙器具１は、キャップ１１と、先端に吸引口１２を有する吸引ノズル１３と、キャップ１１の周壁の適宜の箇所から外部へ伸びるように設けられた排気チューブ１４とから構成され、図２に示すように、電気メス本体２の頭部２１に装着して使用するようになっている。
電気メス本体２の先端に取り付けられるメス先電極２２は、その付け根部から一定の長さの領域が吸引ノズル１３でカバーされるようにし、先端から約５ｍｍ〜１５ｍｍ程度、望ましくは１０ｍｍ程度を外部に露出させ、切開等の手術を支障なく行い得るようにする。このメス先電極の先端からの露出長さは、電極の形状や吸引ノズル１３の太さ、排気量等にも左右されるが、これが５ｍｍ未満では視野が妨げられ、また１５ｍｍを超えると吸引力が低下するため、通常は５ｍｍ〜１５ｍｍ程度、望ましくは１０ｍｍ程度に調節する。
排気チューブ１４の自由端は、コネクタ３２を介して排気パイプ３１に接続される。排気パイプ３１の他端側は、直接又は間接的に排気ポンプ３４（図４参照）に接続される。
なお、手術中に、排気チューブ１４が邪魔にならないように、排気チューブ１４が電気メス本体２に臨む外周側面に、排気チューブ１４を電気メス本体２の外周側面に固定するための両面粘着テープ１４ａ　をあらかじめ貼り付けておくことが推奨される。
【００１６】
電気メス本体２の形状はさまざまであるが、その頭部２１の軸直角断面は、殆どの場合、ほぼ円形である。ただ、そのサイズがメーカーや機種によって少しづつ相違するので、それらに広く対応可能なように、キャップ１１は、その軸直角断面が円形となるように、かつ、図示する如く、その径が先端側へ向かうにつれて次第に小さくなるようにテーパをつけて形成することが望ましい。
また、メス先電極２２の長さや形状も種々相違するので、あらかじめ長目に作製した吸引ノズル１３の長さを、メス先電極の先端から約５ｍｍ〜１５ｍｍ程度が露出するように適宜切り詰めて使用するようにするとよい。
更にまた、排気チューブ１４も、電気メス本体の長さや使用状況に応じて、最適の長さに切りそろえることができるようにすることが望ましい。
これらの観点から、図示した排煙器具１の材質は、僅かな弾力性及び柔軟性を有すると共に、排気時に凹まない程度の保形性を有する合成樹脂材料により作製することが望ましい。具体的には、例えば、ポリプロピレン、ポリエチレン、ポリ塩化ビニル、シリコンゴム等々の素材が好適に用いられる。
なお、図２に示した排煙器具１は、透明であるように描かれているが、これは不透明であってもよく、着色、無着色の別も問わない。
排気パイプ３１も、通常は、排気チューブ１４と同様に柔軟な合成樹脂材料により作製されたものが用いられる。
【００１７】
手術中は、メス先電極２２に接触した患部組織が焼灼され、図３に示すように、多くの煙Ｓが発生するが、キャップ１１内の空気を排気チューブ１４を通じて連続的に排出することにより、煙Ｓは吸引ノズル１３の先端の吸引口１２から吸入され、キャップ１１内へ導入された後、排気チューブ１４を通じて排出される。
排気チューブ１４による排気量は、図４中に示す流量調節バルブ３５により調整し、煙の吸入、排出が円滑になされると共に、雑音等が発生しないようにする。
なお、使用後には、排煙器具１の内壁面に煙の成分である脂や炭がこびり付く。これらを洗浄して再使用することも不可能ではないが、その手間や衛生上の観点から、本発明に係る排煙器具１は原則としてディスポーザブルとすることが望ましい。価格的にも比較的安価に提供し得るからである。但し、この種の汚れに対する洗浄力の優れた洗剤の存在、その他特別の理由がある場合等においては、再使用を前提とした製品として提供することも自由である。
【００１８】
排気チューブ１４を通じて排出される煙は、図４に示すように、浄化器３３を通過させることにより、脂や炭、ウィルスその他の煙の成分を除去することが推奨される。
即ち、手術中の出血等による体液をチューブ等で吸引して除去するため、既存の手術室にもそのバックアップ設備として、上記排気ポンプ３４や吸引した血液等を回収するタンク等が常備されている。しかしながら、電気メスの使用時に発生する煙については、これまでは単に手術室の換気設備により室外に排出するだけで済ませていたため、手術室内には、前記排煙器具１により捕集された煙を有効に分離除去する装置は備えられていない。そのため、本発明においては、上記排気パイプ３１と排気ポンプ３４の間に、排出される煙の成分を吸着捕集する浄化器３３を特別に設けることが望まれるものである。
図示する如く、浄化器３３内には水、アルコール水溶液等の吸収液３３ａを収容し、排気パイプ３１を通じて導入される煙をこの吸収液３３ａ中に導いてこれを通過させることにより、煙の成分を吸着捕集せしめるようにする。煙成分の溶け込んだ吸収液３３ａは、手術終了後に滅菌処理等を施した上、廃棄する。
このように浄化器３３を設けることにより、排気ポンプ３４や流量調節バルブ３５内が煙成分で汚染されるのも防止できる。
なお、浄化器３３の構成は、図示したものに限らず、本発明の目的を達成し得る範囲で、公知の各種浄化器を広く利用できるものである。
【００１９】
次に、図５を参照しつつ、本発明に係る電気メス用排煙器具のもう一つの実施例について説明する。
なお、図５中、（Ｂ）図は、（Ａ）図中のｂ−ｂ線に沿った断面図であり、（Ｃ）図は、（Ａ）図中のｃ−ｃ線に沿った断面図である。
図５中、２５は導管、２６はその先端孔、２７は凹溝であり、その他、図１〜図４中における参照番号と同一の番号を付したものは、図１〜図４中における構成要素と同一の構成要素を示している。また、これらの図では、本発明の説明に必要な構成要素だけを示し、電気メス本体２内に収容された各種部品等は省略してある。
【００２０】
図１〜図４に示した実施例においては、キャップ１１内へ導入された煙は、キャップ１１の周壁に設けた排気チューブ１４を通じて排出されるように構成されていたが、図５に示す実施例においては、電気メス本体２の側壁面から電気メス本体の内部を通過して先端部まで伸びる導管２５が設けられ、その孔２６の内部に排気パイプ３１を挿通し、この排気パイプ３１を通じてキャップ１１内の煙を排出するように構成してある。
また、電気メス本体２の側壁面には、上記導管２５へ続く凹溝２７が軸方向に沿って後端部まで延びるよう形成され、この凹溝２７内に排気パイプ３１を嵌め込むことにより、手術中に排気パイプ３１が手元で邪魔にならないようになっている。
或いはまた、導管２５を、電気メス本体２の後端部（コード２４が取り付けられた側）から先端部まで電気メス本体２の内部を直線状に貫通するように設け、その内部に排気パイプ３１を直接挿通したり、或いは、排気パイプ３１と接続可能なディスポーザブルで柔軟なチューブや直棒状の硬質のパイプ（請求項５において単に「チューブ」という。）を挿通するようにしてもよい。
【００２１】
この図５に示す実施例のものは、電気メス本体２自体に排気パイプ３１等を挿通するものであるから、電気メス本体のメーカーが、本発明に係る排煙器具のキャップ１１を装着することを前提として電気メス本体を製造する場合に採用され得る構成である。
そのように、本発明に係る排煙器具を使用することを前提に電気メス本体が製造され、そのメーカーによりキャップ１１等も製造される場合には、キャップ１１は、これが取り付けられるべき電気メス本体にのみ適合する形状に、硬質のプラスチックにより作製されてもよく、また、電気メス本体側にも、キャップ１１が外れたりしないようにするための突起や係止具を設けるようにしてもよい。
【００２２】
なお、本発明は上述の実施例に限定されるものでなく、さまざまな変更実施例が可能である。
即ち、例えば、短い電極を使用する場合には、キャップ１１に吸引ノズル１３を設けることなく、キャップ１１の先端部に直接吸引口１２を形成してもよく、或いはまた、図２に示すような実施例において、両面粘着テープで排気チューブ１４を電気メス本体に固定する代わりに、電気メス本体の後端部近くに排気チューブ１４を止めておく係止具を設けてもよく、従って、本発明は、その目的の範囲内において上記の説明から当業者が容易に想到し得るすべての変更実施例を包摂するものである。
【００２３】
【発明の効果】
本発明は以上の如く構成されるから、本発明によるときは、次のような作用効果を達成することができる。
（１）電気メス使用時に発生する煙及び臭気を効率よく除去でき、臭気による不快感を解消すると共に、煙に含まれるウィルス等による健康上の被害を予防することができる。
（２）手術野がクリアに保たれ、手術の的確かつ迅速な遂行が可能になる。
（３）キャップ１１を、その先端側へ向けて次第に縮径するテーパ状に形成したり、僅かな弾力性と柔軟性を有する合成樹脂で作製することにより、既存の殆どの電気メスに取り付けることが可能であり、特別の設備を必要とすることなく、広く利用できる。
（４）比較的シンプルな構成であるため、安価に製造でき、従って、使い捨て可能で衛生的である。
【図面の簡単な説明】
【図１】本発明に係る電気メス用排煙器具の一実施例を示す外観図である。
【図２】図１に示した排煙器具を電気メスの頭部に装着した状態を示す側面図である。
【図３】本発明に係る排煙器具の機能を説明するための拡大断面図である。
【図４】図１に示した排煙器具を備えると共に、排出される煙の浄化器を設けた電気メス装置の全体構成を示す説明図である。
【図５】本発明に係る電気メス用排煙器具のもう一つの実施例を示す要部断面図である。
【符号の説明】
１　　　排煙器具
１１　　キャップ
１２　吸引口
１３　吸引ノズル
１４　排気チューブ
１４ａ　両面粘着テープ
２　　電気メス本体
２１　頭部
２２　メス先電極
２３ａ，　２３ｂ　　スイッチ
２４　コード
２５　導管
２６　孔
２７　凹溝
３１　排気パイプ
３２　コネクタ
３３　浄化器
３３ａ　吸収液
３４　排気ポンプ
３５　流量調節バルブ
【図１】
2004089510.tif 000003
【図２】
2004089510.tif 000004
【図３】
2004089510.tif 000005
【図４】
2004089510.tif 000006
【図５】
2004089510.tif 000007